(57)【要約】【課題】脱着の容易性を維持しつつも心電図測定におけるノイズを減少させることの可能な心電図測定用電極装置及び心電図測定装置を提供する。【解決手段】心電図測定用電極装置１は、誘導電極を含む一対の誘導電極部１１a及び１１ｂと、一対の誘導電極部１１a及び１１ｂを被測定者の鎖骨上に固定して配置するための機構と、基準電極を含む基準電極部１０と、誘導電極及び基準電極からの出力信号を情報処理装置２に伝達するための伝達部Lと、を備えることを特徴とする。【選択図】図１
2020199161.tif 000002
【特許請求の範囲】
【請求項１】
誘導電極を含む一対の誘導電極部と、
前記一対の誘導電極部を被測定者の鎖骨上に固定して配置するための機構と、
基準電極を含む基準電極部と、
前記誘導電極及び前記基準電極からの出力信号を情報処理装置に伝達するための伝達部と、
を備えることを特徴とする心電図測定用電極装置。
【請求項２】
前記機構は、被測定者の頸部を包囲することが可能なバンド部であって、
前記一対の誘導電極部のそれぞれは、前記バンド部が被測定者のそれぞれの鎖骨付近に位置する部分に設けられる、
請求項１に記載の心電図測定用電極装置。
【請求項３】
前記バンド部は、弾性変形により被測定者の頸部を把持可能である、
請求項２に記載の心電図測定用電極装置。
【請求項４】
前記バンド部の被測定者の鎖骨上に配置される部分は、前記バンド部の端部である、
請求項２に記載の心電図測定用電極装置。
【請求項５】
前記一対の誘導電極部のそれぞれが備える誘導電極は、被測定者の鎖骨上のうち、鎖骨中線に対して内側、鎖骨中線上、及び鎖骨中線に対して外側のいずれかに配置するための誘導電極である、請求項１に記載の心電図測定用電極装置。
【請求項６】
前記基準電極は被測定者の頸部上に配置するための電極である、請求項１から５のいずれ一項に記載の心電図測定用電極装置。
【請求項７】
前記基準電極部を少なくとも２つ備える、請求項１から６のいずれか一項に記載の心電図測定用電極装置。
【請求項８】
請求項１から７のいずれか一項に記載の心電図測定用電極装置と、前記情報処理装置とを備える、心電図測定装置。
【発明の詳細な説明】
【技術分野】
【０００１】
本発明は、被測定者の身体に装着して心電図信号を測定するための心電図測定用電極装置及び心電図測定装置に関する。
【背景技術】
【０００２】
従来より、心疾患の診断と治療のために心電図を測定することが行なわれている。例えば特許文献１には、被測定者の四肢や胸部に電極を取り付けて心電図を記録するＥＣＧ収集デバイスが記載されている。また、特許文献２には、被測定者の隆椎付近に位置するように配された基準電極と、被測定者の頚動脈付近に位置するように配された誘導電極とを備える、心電図測定装置が記載されている。
【先行技術文献】
【特許文献】
【０００３】
【特許文献１】特開２００３−１５９２２６号公報
【特許文献２】特許第４２７８７０９号公報
【発明の概要】
【発明が解決しようとする課題】
【０００４】
しかしながら、特許文献１に記載のデバイスでは、被測定者の四肢や胸部に電極を取り付ける必要があり、衣服を着たまま簡易に電極を脱着することが困難であった。また、特許文献２に記載の心電図測定装置では、誘導電極が頚部付近に配置されており、安静時の心電図モニタリングは可能であるが、首を動かす時あるいは首の位置を保持する時に活動する筋（胸鎖乳突筋など）の筋電図が混入し、心電図のSN比が低下し、首の動きを伴う体動時の心電図の検出が困難である。
【０００５】
そこで、本発明は、脱着の容易性を維持しつつも心電図測定におけるノイズを減少させることの可能な心電図測定用電極装置及び心電図測定装置を提供することを目的とする。
【課題を解決するための手段】
【０００６】
本発明の一態様に係る心電図測定用電極装置は、被測定者の鎖骨上に配置するための誘導電極を含む一対の誘導電極部と、被測定者の頸部上に配置するための基準電極を含む基準電極部と、を備える。
【０００７】
この態様によれば、心電図測定装置の脱着の容易性を維持しつつも、誘導電極がノイズの原因となる電気的活動を行う筋(胸鎖乳突筋など)ではなく、鎖骨上に配置されるため、心電図測定におけるノイズが減少する。また、心電図測定装置の脱着の容易性とノイズの低減が両立されることから、被測定者の動作時にも精度の良い心電図を測定することができるため、心電図を連続的に測定することが可能となる。
【発明の効果】
【０００８】
本発明によれば、脱着の容易性を維持しつつも心電図測定におけるノイズを減少させることの可能な心電図測定用電極装置及び心電図測定装置提供することができる。
【図面の簡単な説明】
【０００９】
【図１】第１実施形態に係る心電図測定装置１００Ａの構成を示す概略図である。
【図２】心電図信号処理装置２の回路構成の一例を示す概略図である。
【図３】（ａ）は従来の心電図測定装置の電極の配置位置（配置位置１）を示した概略図であり、（ｂ）は第１実施形態に係る心電図測定装置１００Ａの電極の配置位置（配置位置２）を示した概略図であり、（ｃ）は第１実施形態に係る心電図測定装置１００Ａの電極の他の配置位置（配置位置３）を示した概略図である。
【図４】各配置位置におけるＳＮ比の結果を被験者毎に示す図である。
【図５】第１実施形態の変形例に係る心電図測定装置１００Ｂの構成を示す概略図である。
【図６】第２実施形態に係る心電図測定装置２００Ａの構成を示す概略図である。
【図７】（ａ）は配置位置３を示した概略図であり、（ｂ）は第２実施形態に係る心電図測定装置２００Ａの電極の配置位置（配置位置４）を示した概略図である。
【図８】各配置位置におけるＳＮ比の結果を被験者毎に示す図である。
【図９】第２実施形態の変形例に係る心電図測定装置２００Ｂの構成を示す概略図である。
【図１０】（ａ）は、従来の心電図測定装置による首振り動作時の被験者Ａの心電図の測定結果を示す図であり、（ｂ）は、第２実施形態に係る心電図測定装置２００Ａによる首振り動作時の被験者Ａの心電図の測定結果を示す図である。
【図１１】（ａ）は、従来の心電図測定装置による首傾け動作時の被験者Ａの心電図の測定結果を示す図であり、（ｂ）は、第２実施形態に係る心電図測定装置２００Ａによる首傾け動作時の被験者Ａの心電図の測定結果を示す図である。
【図１２】（ａ）は、従来の心電図測定装置による歩行動作時の被験者Ａの心電図の測定結果を示す図であり、（ｂ）は、第２実施形態に係る心電図測定装置２００Ａによる歩行動作時の被験者Ａの心電図の測定結果を示す図である。
【図１３】（ａ）は、各動作時における従来の心電図測定装置によるＳＮ比の結果を被験者毎に示す図であり、（ｂ）は、各動作時における第２実施形態に係る心電図測定装置２００ＡによるＳＮ比の結果を被験者毎に示す図である。
【発明を実施するための形態】
【００１０】
添付図面を参照して、本発明の好適な実施形態について説明する。（なお、各図において、同一の符号を付したものは、同一又は同様の構成を有する。）
【００１１】
［第１実施形態］
（１−１）構成
心電図測定装置１００Ａ
図１は、第１実施形態に係る心電図測定装置１００Ａの構成を示す概略図である。図１に示すように、心電図測定装置１００Ａは、心電図測定用電極装置１と、心電図信号処理回路２とを備えている。心電図測定用電極装置１は、例えば、基準電極部１０と、１対の誘導電極部１１ａ及び１１ｂとを備えている。基準電極部１０、誘導電極部１１ａ及び１１ｂのそれぞれは、リード線Ｌを介して心電図信号処理装置２に接続されている。リード線は、基準電極及び誘導電極それぞれからの出力信号を、情報処理装置の一例である心電図信号処理装置２に伝達するための伝達部の一例である。なお、当該伝達部は、リード線Ｌ等のように有線の形状を呈していなくても、基準電極部１０、誘導電極部１１ａ及び１１ｂ、心電図信号処理装置２のそれぞれに設けられた、互いに無線通信するための機構（例えば、回路モジュール）であってもよい。
【００１２】
心電図測定用電極装置１
心電図測定用電極装置１が備える基準電極部１０は、心電図測定用電極装置１を装着したときに被測定者の頸部上に配置される基準電極を含んで構成され、例えば、基準電極を内包する導電性ゲルや導電性繊維を更に含んでもよい。基準電極部１０が含む基準電極は、例えば直径５ｍｍ〜１０ｍｍ程度の円形のカーボン電極を用いて構成でき、心電図測定用電極装置１の装着時に被測定者の頸部に接触して頸部付近における心電図信号を検出する。ここで、基準電極が配置される位置は被測定者の頸部上であれば特に限定されないが、例えば、隆椎付近、側頸部付近、後頸部付近、頚動脈付近等であってよい。基準電極は、例えば、リード線Ｌを介して心電図信号処理装置２に接続される。
【００１３】
心電図測定用電極装置１が備える誘導電極部１１ａ及び１１ｂはそれぞれ、心電図測定用電極装置１を装着したときに被測定者の鎖骨上に配置される誘導電極を含んで構成され、例えば、誘導電極を内包する導電性ゲルや導電性繊維を更に含んでもよい。なお、誘導電極部の数は、２つに限らず、３つ以上であってもよい。誘導電極は、例えば直径５ｍｍ〜１０ｍｍ程度の円形のカーボン電極を用いて構成できる。誘導電極は、心電図測定用電極装置１の装着時に被測定者の鎖骨上の皮膚に接触して鎖骨付近における心電図信号を検出する。
【００１４】
心電図測定用電極装置１は、誘導電極部１１ａ及び１１ｂを被測定者の鎖骨上に固定して配置するための機構を有する。第１実施形態においては、当該機構は、誘導電極部１１ａ及び１１ｂ自体に含まれていてよい。すなわち、誘導電極部１１ａ及び１１ｂはそれぞれ、被測定者に接触する部分に吸着性を有する素材（例えば、樹脂）から成る吸着部を有していてもよい。或いは、誘導電極部１１ａ及び１１ｂは、被測定者の鎖骨部分の形状に合わせた凹部を有していてもよい。或いは、誘導電極部１１ａ及び１１ｂは、形状を維持するための素材（例えば、金属や繊維等）を有し、装着時に被測定者の鎖骨部分の形状に合わせて形状を変形できるようにしてもよい。
【００１５】
ここで、誘導電極が配置される位置は被測定者の鎖骨上であれば特に限定されないが、例えば、鎖骨上であって、鎖骨中線に対して内側（身体の中心側）、鎖骨中線上、及び鎖骨中線に対して外側（身体の中心とは反対側）であってよい。また、誘導電極が配置される位置は、鎖骨上であって、鎖骨の内側（身体の中心側）の端部付近、及び鎖骨の外側（身体の中心とは反対側）の端部付近であってよい。誘導電極は、例えば、リード線Ｌを介して心電図信号処理装置２に接続される。
【００１６】
心電図信号処理装置２
図２は、心電図信号処理装置２の回路構成の一例を示す概略図である。心電図信号処理装置２は、例えば、心電図測定用電極装置１から出力された信号を処理するための回路モジュールとして、差動増幅器２１と、ハイパスフィルタ２２と、ノッチフィルタ２３と、第１非反転増幅部２４と、バンドパスフィルタ２５と、第２非反転増幅部２６とを備えている。
【００１７】
差動増幅器２１は、心電図測定用電極装置１の基準電極部１０、誘導電極部１１ａ、及び１１ｂそれぞれにリード線Ｌを介して接続されている。差動増幅器２１は、基準電極部１０、誘導電極部１１ａ、及び１１ｂのそれぞれから出力される信号が入力されると、基準電極部１０の信号を基準とした誘導電極部１１ａ及び１１ｂの電位差を増幅し、出力端子から増幅された信号を出力する。ハイパスフィルタ２２は、差動増幅器２１から出力される信号が入力されると、該信号から所定周波数（例えば、約７．９ｈｚ）以下の周波数成分を除去した信号を出力する。ノッチフィルタ２３は、ハイパスフィルタ２２から出力される信号が入力されると、該信号から特定の周波数（例えば、商用周波数の５０Ｈｚや６０Ｈｚ等の誘導雑音）を除去した信号を出力する。第１非反転増幅部２４は、ノッチフィルタ２３から出力される信号が入力されると、該信号を所定の増幅率（例えば約３４ｄＢ）で増幅して出力する。バンドパスフィルタ２５は、第１非反転増幅部から出力される信号が入力されると、該信号から所定の周波数帯域（約７．９〜３１．８Ｈｚ）以外の信号を除去した信号を出力する。第２非反転増幅部２６は、バンドパスフィルタ２５から出力される信号が入力されると、該信号を所定の増幅率（例えば約２８ｄＢ）で増幅して出力する。
【００１８】
また、心電図信号処理装置２は、例えば、上述した回路モジュールから出力された信号に基づいて所定の情報処理を実行する情報処理装置２７を備えている。第２非反転増幅部２６から出力された信号は、心電図解析用の情報処理装置２７に入力される。情報処理装置２７は、例えば、第２非反転増幅部２６から入力された信号をＡ／Ｄコンバータによりデジタル信号に変換し、必要に応じてマイクロプロセッサによる種々の解析処理を実行する。そして、情報処理装置２７は、解析結果を表示装置に表示したり、記録装置に記録する。
【００１９】
（１−２）効果
図３（ａ）は、従来の心電図測定装置の電極の配置位置（配置位置１）を示した概略図である。また、図３（ｂ）は、第１実施形態に係る心電図測定装置１００Ａの電極の配置位置（配置位置２）を示した概略図である。また、図３（ｃ）は、第１実施形態に係る心電図測定装置１００Ａの電極の他の配置位置（配置位置３）を示した概略図である。
【００２０】
図３（ａ）に示すように、配置位置１では、各誘導電極は頸部の左右に配置される。図３（ｂ）に示すように、配置位置２では、各誘導電極は鎖骨上であって、鎖骨中線に対して内側に配置される。図３（ｃ）に示すように、配置位置３では、各誘導電極は鎖骨上であって、鎖骨中線上に配置される。なお、図示は省略しているが、配置位置１〜３いずれにおいても、基準電極は隆椎付近に配置される。
【００２１】
ここで、被験者Ａ、Ｂ、及びＣそれぞれに対して配置位置１〜３それぞれによって基準電極及び誘導電極を配置して心電図を計測し、当該心電図に基づいてＳＮ比を算出した。図４は、各配置位置におけるＳＮ比の結果を被験者毎に示す図である。
【００２２】
配置位置１によるＳＮ比は、被験者Ａが１９．０ｄＢ、被験者Ｂが１６．５ｄＢ、被験者Ｃが１０．１ｄＢであった。また、配置位置２によるＳＮ比は、被験者Ａが２７．３ｄＢ、被験者Ｂが１６．９ｄＢ、被験者Ｃが２４．６ｄＢであった。また、配置位置３によるＳＮ比は、被験者Ａが２９．８ｄＢ、被験者Ｂが２９．９ｄＢ、被験者Ｃが２２．７ｄＢであった。
【００２３】
いずれの被験者についても、「配置位置１のＳＮ比＜配置位置２のＳＮ比＜配置位置３のＳＮ比」の関係が認められる。したがって、配置位置１と比較して配置位置２及び３によってＳＮ比が向上していると言える。また、特に配置位置２よりも配置位置３がＳＮ比に優れていると言える。
【００２４】
これは、以下のような理由による。すなわち、従来の心電図測定装置の配置位置（配置位置１）では、誘導電極は頸部上に配置されるが、頸部には電気的活動を行う筋（筋肉）が含まれる。そして、当該筋が行う電気的活動はノイズの原因となる。一方、第１実施形態に係る心電図測定装置１００Ａの配置位置２や配置位置３では、誘導電極が鎖骨上に配置される。鎖骨においては、上述したようにノイズの原因となる電気的活動を行う筋は含まれない。そのため、誘導電極部を鎖骨上に配置する配置位置２や配置位置３では、ノイズが減少する。以上より、心電図測定用電極装置１によって、心電図測定におけるノイズが減少すると言える。
【００２５】
（１−３）変形例
図５は、第１実施形態の変形例に係る心電図測定装置１００Ｂの構成を示す概略図である。図５に示すように、心電図測定装置１００Ｂが備える心電図測定用電極装置１は、基準電極部１０、誘導電極部１１ａ及び１１ｂが設けられた可撓性バンド部１２を備えている。
【００２６】
可撓性バンド部１２は、例えばプラスチック等で形成され、被測定者の頸部を包囲することが可能ないわゆるネックバンドの形状をしている。可撓性バンド部１２は、弾性変形に基づく挟圧力により被測定者の頸部を着脱可能に把持することができる形状及び寸法を呈していてもよい。或いは、可撓性バンド部１２は、被測定者の頸部を把持可能か否かに関わらず、被測定者の頸部の付け根近傍で支持される形状及び寸法を呈していてもよい。
【００２７】
また、可撓性バンド部１２は、被測定者の首周りの大小に適応できるよう、必要に応じてバンド長を調整する機構（たとえば、従来のヘッドフォン等で採用されているような、２以上のバンドが互いに摺動可能に係合する機構）を備える構成としてもよい。
【００２８】
心電図測定装置１００Ｂが備える心電図測定用電極装置１では、基準電極部１０は、可撓性バンド部１２の略中央に設けられており、装着時に被測定者の隆椎付近に位置するように配されている。また、心電図測定装置１００Ｂが備える心電図測定用電極装置１では、誘導電極部１１ａ及び１１ｂは、可撓性バンド部１２の両端部の下側（心電図測定装置１００Ｂの装着時に被測定者の鎖骨付近に対抗する側）に設けられており、装着時に被測定者の鎖骨付近に位置するように配されている。
【００２９】
心電図測定装置１００Ｂが備える心電図測定用電極装置１は、可撓性バンド部１２を備えているため、装着が容易になり、以て誘導電極を被測定者の鎖骨上に配置し易くなる。
【００３０】
［第２実施形態］
（２−１）構成
図６は、第２実施形態に係る心電図測定装置２００Ａの構成を示す概略図である。図６に示すように、心電図測定装置２００Ａが備える心電図測定用電極装置１は、２つの基準電極部１０ａ及び１０ｂを備えている。これら基準電極部１０ａ及び１０ｂが備える基準電極は、装着時に、例えば側頸部等の頸部上に配置される。なお、基準電極部の数は２つに限らず、３つ以上であってもよい。心電図測定装置２００Ａにおける心電図信号処理装置２は、２つの基準電極部１０ａ及び１０ｂから受信した２つの信号に基づいて（例えば、当該２つの信号の平均値を算出するなどして）基準電位を算出してもよい。
【００３１】
（２−２）効果
図７（ａ）は、上述した第１実施形態に係る心電図測定装置１００Ａの電極の他の配置位置（配置位置３）を示した概略図である。なお、図７（ａ）では、誘導電極の位置に加えて、基準電極の位置も図示している。また、図７（ｂ）は、第２実施形態に係る心電図測定装置２００Ａの電極の配置位置（配置位置４）を示した概略図である。
【００３２】
ここで、被験者Ａ、Ｂ、及びＣそれぞれに対して配置位置３及び４によって基準電極及び誘導電極を配置して心電図を計測し、当該心電図に基づいてＳＮ比を算出した。図８は、各配置位置におけるＳＮ比の結果を被験者毎に示す図である。配置位置３によるＳＮ比は、被験者Ａが２９．８ｄＢ、被験者Ｂが２９．９ｄＢ、被験者Ｃが２２．７ｄＢであった。配置位置４によるＳＮ比は、被験者Ａが３２．６ｄＢ、被験者Ｂが２９，５ｄＢ、被験者Ｃが３１．３ｄＢであった。
【００３３】
いずれの被験者についても、「配置位置３のＳＮ比＜配置位置４のＳＮ比」の関係が認められ、配置位置３と比較して配置位置４によってＳＮ比が向上していると言える。これは、基準電極が２つになったことにより、当該２つの基準電極それぞれが出力する信号に基づいて基準電位を算出することができるためであると考えられる。以上より、第２実施形態に係る心電図測定装置２００Ａでは、第１実施形態に係る心電図測定装置１００Ａと比較して、ノイズ低減の効果が向上していると言える。
【００３４】
（２−３）変形例
図９は、第２実施形態の変形例に係る心電図測定装置２００Ｂの構成を示す概略図である。図９に示すように、心電図測定装置２００Ｂが備える可撓性バンド部１２は、２つの基準電極部１０ａ及び１０ｂが設けられている。これら基準電極部１０ａ及び１０ｂが備える基準電極は、装着時に、例えば側頸部等の頸部上に配置される。
【００３５】
以上説明したとおり、実施形態に係る心電図測定装置は、心電図測定におけるノイズが減少する。そのため、例えば、誘導電極にボルテージフォロア等のインピーダンス変換用の回路モジュールを設ける必要性が少なくなる。特に、ボルテージフォロア等の回路モジュールが不要となることにより、心電図測定装置の構成が簡素になるという効果を有する。
【００３６】
（２−４）運動時の効果
次に、従来の心電図測定装置、及び第２実施形態に係る心電図測定装置２００Ａのそれぞれを用いて、被測定者が種々の動作を行っている時に心電図を測定した結果について説明する。具体的には、種々の動作を行っている被験者Ａ、Ｂ、及びＣそれぞれについて、従来の心電図測定装置、及び第２実施形態に係る心電図測定装置２００Ａそれぞれにより心電図を計測し、当該心電図に基づいてＳＮ比を算出した。当該種々の動作は、首振り動作（首を左右に振る動作）、首傾け動作（首を左右に傾ける動作）、及び歩行動作である。なお、従来の心電図測定装置では、基準電極は隆椎付近に、一対の誘導電極はそれぞれの側頸部付近に配置され、第２実施形態に係る心電図測定装置２００Ａでは、一対の基準電極はそれぞれの側頸部付近に配置され、一対の誘導電極は鎖骨上であって鎖骨中線上に配置されものとする。
【００３７】
図１０（ａ）は、従来の心電図測定装置による首振り動作時の被験者Ａの心電図の測定結果を示す図であり、図１０（ｂ）は、第２実施形態に係る心電図測定装置２００Ａによる首振り動作時の被験者Ａの心電図の測定結果を示す図である。図１１（ａ）は、従来の心電図測定装置による首傾け動作時の被験者Ａの心電図の測定結果を示す図であり、図１１（ｂ）は、第２実施形態に係る心電図測定装置２００Ａによる首傾け動作時の被験者Ａの心電図の測定結果を示す図である。図１２（ａ）は、従来の心電図測定装置による歩行動作時の被験者Ａの心電図の測定結果を示す図であり、図１２（ｂ）は、第２実施形態に係る心電図測定装置２００Ａによる歩行動作時の被験者Ａの心電図の測定結果を示す図である。
【００３８】
図１０（ａ）及び図１０（ｂ）を比較すると、被験者Ａの首振り動作時において、従来の心電図測定装置による心電図より、第２実施形態に係る心電図測定装置２００Ａによる心電図の方が、ノイズが小さいことが分かる。また、図１１（ａ）及び図１１（ｂ）を比較すると、被験者Ａの首傾け動作時において、従来の心電図測定装置による心電図より、第２実施形態に係る心電図測定装置２００Ａによる心電図の方が、ノイズが小さいことが分かる。また、図１２（ａ）及び図１２（ｂ）を比較すると、被験者Ａの歩行動作時において、従来の心電図測定装置による心電図より、第２実施形態に係る心電図測定装置２００Ａによる心電図の方が、ノイズが小さいことが分かる。
【００３９】
図１３（ａ）は、各動作時における従来の心電図測定装置によるＳＮ比の結果を被験者毎に示す図であり、図１３（ｂ）は、各動作時における第２実施形態に係る心電図測定装置２００ＡによるＳＮ比の結果を被験者毎に示す図である。
【００４０】
また、図１３（ａ）に示すように、従来の心電図測定装置では、多くの場合においてノイズ成分にＲ波が埋もれてしまいＳＮ比が測定不能であり、ＳＮ比が測定できた他の場合においては、当該ＳＮ比は比較的小さかった。一方、第２実施形態に係る心電図測定装置２００Ａでは、いずれの場合についても高いＳＮ比が得られた。
【００４１】
以上より、いずれの動作時においても、従来の心電図測定装置に対して、第２実施形態に係る心電図測定装置２００Ａは心電図のノイズを低減しているといえる。
【００４２】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００４３】
１００Ａ、１００Ｂ、２００Ａ、２００Ｂ…心電図測定装置、１…心電図測定用電極装置、１０、１０ａ、１０ｂ…基準電極部、１１ａ、１１ｂ…誘導電極部、１２…可撓性バンド部、２…心電図信号処理装置、２１…差動増幅器、２２…ハイパスフィルタ、２３…ノッチフィルタ、２４…第１非反転増幅部、２５…バンドパスフィルタ、２６…第２非反転増幅部、２７…情報処理装置、Ｌ…リード線
【図１】
2020199161.tif 000003
【図２】
2020199161.tif 000004
【図３】
2020199161.tif 000005
【図４】
2020199161.tif 000006
【図５】
2020199161.tif 000007
【図６】
2020199161.tif 000008
【図７】
2020199161.tif 000009
【図８】
2020199161.tif 000010
【図９】
2020199161.tif 000011
【図１０】
2020199161.tif 000012
【図１１】
2020199161.tif 000013
【図１２】
2020199161.tif 000014
【図１３】
2020199161.tif 000015